(57)【要約】【課題】除湿機能を有する空気調和装置において、誤作動や破損を抑える。【解決手段】除湿機は、屋内の除湿が可能であり、排気ダクト３と、虫除けキャップ２０と、ＰＴＣヒータ２６とを備えている。排気ダクト３は、多湿空気を放出するための屋外に位置する排気口を有しており、多湿空気を屋内から屋外へと導く。虫除けキャップ２０は、排気ダクト３の排気口を覆うものであり、多湿空気の排気口の通過を許容しつつ、排気口を通って排気ダクト３の中に異物が進入することを防ぐ。ＰＴＣヒータ２６は、虫除けキャップ２０を加熱する。【選択図】        図３
2004184012.tif 000002
【特許請求の範囲】
【請求項１】
屋内の除湿が可能な空気調和装置（１）であって、
多湿空気を放出するための屋外に位置する排気口を有し、多湿空気を屋内から屋外へと導く排気通路（３）と、
前記排気口を覆い、多湿空気の前記排気口の通過を許容しつつ、前記排気口を通って前記排気通路（３）の中に異物が進入することを防ぐ異物進入防止部材（２０）と、
前記異物進入防止部材（２０）を加熱する加熱手段（２６）と、
を備える空気調和装置（１）。
【請求項２】
前記異物進入防止部材（２０）は、メッシュ部（３１）を有している、
請求項１に記載の空気調和装置。
【請求項３】
前記加熱手段は、前記メッシュ部（３１）に内蔵される、あるいは前記メッシュ部に取り付けられる、
請求項２に記載の空気調和装置。
【請求項４】
前記加熱手段（２６）は、前記排気口の近傍において、前記排気通路（３）又は前記異物進入防止部材（２０）に着脱自在に設けられる、
請求項１に記載の空気調和装置。
【請求項５】
前記加熱手段は、発熱機能および照明機能を兼備する、
請求項１に記載の空気調和装置。
【請求項６】
屋外の気温を検知する外気温検知手段と、
前記外気温検知手段が検知した屋外の気温にしたがって前記加熱手段の制御を行う制御手段と、
をさらに備える、請求項１から５のいずれかに記載の空気調和装置。
【請求項７】
前記排気口および前記異物進入防止部材を囲うカバー（２５）をさらに備えた、
請求項１から６のいずれかに記載の空気調和装置。
【請求項８】
屋内に設置され、屋内の空気から水分を取り込み、その水分を含む多湿空気を前記排気通路に流す除湿手段（１２，１３，１４）をさらに備えた、
請求項１から７のいずれかに記載の空気調和装置。
【発明の詳細な説明】
【０００１】
【発明の属する技術分野】
本発明は、空気調和装置、特に、屋内の除湿が可能な空気調和装置に関する。
【０００２】
【従来の技術】
従来から、ビルや住宅などの屋内に設置され、設置される屋内の空気に含まれる水分を取り除く除湿機能を有する空気調和装置が知られている。このような空気調和装置として、例えば、屋内の空気から湿気を取り除き、その湿気を含む多湿空気を屋外に排出する除湿機が存在する（特許文献１参照。）。このような除湿機には、屋内と屋外とを結ぶ排気ダクトが設けられており、湿気を含む多湿空気を屋外へと導いて大気放出する。具体的には、屋内から屋外へと延びる排気ダクトの先端にある排気口から、多湿空気が放出されることになる。
【０００３】
また、屋外へと延びる排気ダクトを備えた除湿機では、その排気口から虫などの小動物が排気ダクトに入り込んでこないように、排気口を覆う虫除けキャップが設けられることがある。特に、別荘などにおいて除湿のために上記の除湿機を設置する場合には、排気ダクトから除湿機本体に虫などが入り込んで故障を引き起こしても、その故障に気づくことが遅れがちになる。このような場合には、虫除けキャップで排気口を覆う措置が非常に有効となる。
【０００４】
【特許文献１】
特開２００２−１０２６４２号公報
【０００５】
【発明が解決しようとする課題】
上記の虫除けキャップは、通常メッシュ部によって虫などの進入を防ぐ構造となっているが、微小な虫の進入を防ぐためには網目を非常に細かくする必要がある。
一方、排気される多湿空気が虫除けキャップを通過する際には、その排気に含まれる湿気（水分）が結露してメッシュ部に付着することがある。このような虫除けキャップにおける結露は、通常であれば問題になることは少ないが、寒冷地においては問題になる場合がある。すなわち、寒冷地において除湿機の運転停止により排気が止まると、夜間などの極寒時に虫除けキャップに付着した露が凍結して網目を塞ぎ、除湿機の運転再開時に駆動部分に負担がかかって誤作動や破損を引き起こす恐れがある。特に、メッシュ部の網目を非常に細かくしたときには、結露した水分の凍結によって網目が塞がれる恐れが高い。
【０００６】
本発明の課題は、除湿機能を有する空気調和装置において、誤作動や破損を抑えることにある。
【０００７】
【課題を解決するための手段】
請求項１に係る空気調和装置は、屋内の除湿が可能な空気調和装置であって、排気通路と、異物進入防止部材と、加熱手段とを備えている。排気通路は、多湿空気を放出するための屋外に位置する排気口を有しており、多湿空気を屋内から屋外へと導く。異物進入防止部材は、排気口を覆うものであり、多湿空気の排気口の通過を許容しつつ、排気口を通って排気通路の中に異物が進入することを防ぐ。加熱手段は、異物進入防止部材を加熱する。
【０００８】
ここでは、屋内の除湿により発生した湿気（水分）を含んだ多湿空気を、排気通路により屋外へと導いて排気口から放出させることができる。また、異物進入防止部材で排気口を覆っているため、排気口から虫などの小動物が排気通路に進入してくることが防がれる。さらに、ここでは加熱手段によって異物進入防止部材を加熱することができるため、外気温が０℃を下回る極寒時においても異物進入防止部材に付着する多湿空気中の水分が凍結することが抑えられる。このため、本請求項に係る空気調和装置では、異物進入防止部材の凍結によって排気が不十分となり誤作動や破損を起こしてしまう不具合が、殆ど発生しなくなる。
【０００９】
請求項２に係る空気調和装置は、請求項１に記載の空気調和装置であって、異物進入防止部材は、メッシュ部を有している。
ここでは、メッシュ部が存在するため異物進入防止部材においてメッシュ部の網目を塞ぐような水分の凍結の恐れがある。しかし、加熱手段による加熱をすることによって、その凍結を防ぐことができる。
【００１０】
請求項３に係る空気調和装置は、請求項２に記載の空気調和装置であって、加熱手段は、メッシュ部に内蔵される、あるいはメッシュ部に取り付けられる。
ここでは、メッシュ部に加熱手段を内蔵する、あるいはメッシュ部に直接加熱手段を取り付ける構成を採るため、凍結すると排気を妨げてしまうメッシュ部を確実且つ効率的に暖めることができる。
【００１１】
なお、メッシュ部に取り付ける加熱手段は、それ自体でメッシュ部の網目を塞ぐことがないように、線状のヒータなどであることが好ましい。
請求項４に係る空気調和装置は、請求項１に記載の空気調和装置であって、加熱手段は、排気口の近傍において、排気通路又は異物進入防止部材に着脱自在に設けられる。
【００１２】
ここでは、加熱手段が排気通路又は異物進入防止部材に対して着脱自在となっているため、冬などの寒冷期間以外のときには加熱手段を脱着して屋内などに保管しておくことができる。また、故障や寿命により加熱手段を交換する必要が生じた際に、簡単に加熱手段だけを取り替えることが可能となる。
請求項５に係る空気調和装置は、請求項１に記載の空気調和装置であって、加熱手段は、発熱機能および照明機能を兼備する。
【００１３】
ここでは、電灯や電球などの発熱および照明の両機能を持ったものを加熱手段として採用しているため、屋外を照らすという付加的効果を得ることができるとともに、照明機能が消滅したことは発熱機能が消滅したことよりもユーザー等にとって把握し易い事象であるので、加熱手段の交換時期の把握が容易となる。
なお、市販の電球などを加熱手段として用いた場合には、サービスエンジニアではない一般のユーザーなどでも加熱手段の交換が容易にできるようになる。
【００１４】
請求項６に係る空気調和装置は、請求項１から５のいずれかに記載の空気調和装置であって、外気温検知手段と、制御手段とをさらに備えている。外気温検知手段は、屋外の気温を検知する。制御手段は、外気温検知手段が検知した屋外の気温にしたがって、加熱手段の制御を行う。
ここでは、外気温検知手段により検知される屋外の気温に応じて制御手段が自動的に加熱手段の制御（オン・オフなど）を行うため、ユーザー等が手動で加熱手段を作動させる必要がなくなる。また、手動による加熱手段の作動ではつけ忘れが考えられるが、ここでは、凍結の恐れがあるときには、確実に異物進入防止部材が加熱されるようになる。さらに、屋外の気温が高いときには加熱手段をオフしておくように制御を組めば、必要なときにだけ加熱手段を作動させることも可能となり、消費エネルギーを低減することができるようになる。
【００１５】
請求項７に係る空気調和装置は、請求項１から６のいずれかに記載の空気調和装置であって、排気口および異物進入防止部材を囲うカバーをさらに備えている。
ここでは、カバーで排気口および異物進入防止部材を囲っているので、加熱手段により加熱される異物進入防止部材からの熱の発散が抑えられ、無駄なエネルギー消費を削減できる。
【００１６】
請求項８に係る空気調和装置は、請求項１から７のいずれかに記載の空気調和装置であって、除湿手段をさらに備えている。除湿手段は、屋内に設置され、屋内の空気から水分を取り込み、その水分を含む多湿空気を排気通路に流す。
【００１７】
【発明の実施の形態】
＜全体構成＞
本発明の空気調和装置の一実施形態に係る除湿機の外観を図１に、縦断面概略を図２に示す。
除湿機１は、室内の側壁の上部に掛けることができるタイプのものであり、その本体ケーシング１１の前面に設けられた環状の開口である室内空気吸い込み口４から室内の空気を本体内部に取り込む。排気ダクト（排気通路）３は、本体ケーシング１１の内部の除湿機構が作動することにより生じる多湿空気を室外（屋外）に導き排気するためのダクトである。室内外を仕切る側壁に設けられた配管穴２は、室内と室外とを連通させる穴である。この配管穴２を、排気ダクト３が貫通する。
【００１８】
＜室内における除湿機の構成＞
除湿機１の本体ケーシング１１は、図２に示すように、側壁１０の室内側壁面に取り付けられている。この本体ケーシング１１の中には、除湿ロータ１２と、ターボファン１３と、ヒータ１４とが配置されており、さらに、プリント基板や電気部品などから成る制御部（図示せず）が配置されている。
【００１９】
図示しないモータにより回転する除湿ロータ１２は、円板形状を有しており、その回転軸が側壁１０の壁面に対して直交するように回転自在に支持されている。また、除湿ロータ１２の回転によって、除湿ロータ１２の各部は、吸着領域１２ａと再生領域１２ｂとを順に通過することになる。この除湿ロータ１２は、シリカゲル、ゼオライト、アルミナ等の吸着剤から構成されており、例えばハニカム状または多孔多粒状に成形される。
【００２０】
ターボファン１３は、吸着領域１２ａにある除湿ロータ１２を介して室内空気が内部に吸い込まれるように配置されている。このターボファン１３によって吸い込まれた室内空気は、除湿ロータ１２を通過することによって多くの湿気（水分）が取り除かれたものとなっている（図２の白抜きの矢印１５で表す室内空気の流れを参照）。そして、除湿されターボファン１３の内部に吸い込まれた室内空気は、ターボファン１３の吹き出し口１３ａから上方に向けて吹き出され、再び室内へと戻る。一方、ターボファン１３のもう１つの吹き出し口１３ｂからは、空気が下向きに吹き出される。この吹き出し口１３ｂから吹き出された空気は、ヒータ１４によって暖められ、再生領域１２ｂにある除湿ロータ１２を通過する。
【００２１】
ヒータ１４によって加熱され再生領域１２ｂにある除湿ロータ１２を通過した空気は、除湿ロータ１２から水分を奪い、多くの湿気を含んだものとなる。すなわち、再生領域１２ｂにある除湿ロータ１２は、高温の空気に対して吸着していた水分を脱着する。こうして生成される多湿空気は、図２の白抜きの矢印１６で示すように、排気ダクト３を通され室外（屋外）へと排気される。
【００２２】
このように、除湿機１においては、本体ケーシング１１内で行われる除湿の副産物として生成される多湿空気を、排気ダクト３によって室外へと導き排気している。
＜室外における除湿機の構成＞
排気ダクト３の室外部分およびその近傍の斜視図を、図３に示す。
【００２３】
［排気ダクト］
室内の本体ケーシング１１から延びる排気ダクト３は、側壁１０から屋外の突出するように施工される。具体的には、側壁１０に開けられた配管穴２に、まず筒状のウォールカバー２３をはめ込む。ここで、ウォールカバー２３の内径は、排気ダクト３の外径よりも大きくされている。次に、排気ダクト３をウォールカバー２３に通し、位置を決定した後、図３および図４に示すように、排気ダクト３とウォールカバー２３との隙間をパテ２４で埋める。なお、図３においては理解を容易にするため排気ダクト３を大きく側壁１０の外面１０ａから突出させているが、実際には図４に示すように後述する屋外カバー２５で囲うことができる程度に小さく排気ダクト３を側壁１０から突出させることになる。
【００２４】
［虫除けキャップ］
この排気ダクト３の先端には、屋外の微小生物（昆虫など）の進入を防ぐための樹脂製の虫除けキャップ２０が装着される。この虫除けキャップ２０の前面には、多湿空気を通しつつ小動物の進入を防ぐことができるように、樹脂製のメッシュ部２１が張られている。メッシュ部の網目の１つ１つは、それぞれ１．５ｍｍ四方の面積であり、市販されている網戸と同等の目の細かさである。
【００２５】
また、虫除けキャップ２０の外面には、ヒータ収容部２２が設けられている。ヒータ収容部２２は、ＰＴＣヒータ２６のヒータ部２６ａを着脱可能な構造となっている。
［ＰＴＣヒータ］
ＰＴＣヒータ２６は、ヒータ部２６ａと、コード部２６ｂと、プラグ部２６ｃとから成るものを用いる。ヒータ部２６ａは、虫除けキャップ２０のヒータ収容部２２に挿入され固定される。コード部２６ｂは、排気ダクト３の中を通しても外を通してもよいが、室内におけるコンセントへの差し込み易さを考慮して、ここでは、耐熱および耐候性のある配線を用いて、排気ダクト３と配管穴２との間の隙間を通している。プラグ部２６ｃは、図４に示すように室内に入り、室内のコンセントに差し込まれる。
【００２６】
このＰＴＣヒータ２６により、外気温が−１５℃程度まで低下した場合であっても、ＰＴＣヒータ２６からの熱が虫除けキャップ２０のメッシュ部２１に伝導し、メッシュ部２１についた露が凍結して網目を塞いでしまうことが抑えられる。
なお、ＰＴＣヒータとは、Ｐｏｓｉｔｉｖｅ  Ｔｅｍｐｅｒａｔｕｒｅ  Ｃｏｅｆｆｉｃｉｅｎｔ  Ｓｅｌｆ−ｒｅｇｕｌａｔｉｎｇ  Ｓｏｌｉｄ−ｓｔａｔｅ  Ｈｅａｔｅｒの略であり、温度の上昇に比例してヒータの抵抗値が上昇する性質を持つ。すなわち、ＰＴＣヒータは、抵抗値が上昇すると電流が減少して発熱量が減少し、一定の温度となる性質を有する。このため、ＰＴＣヒータ２６は、面倒な温度調節が不要であり、コンパクトで安価である。
【００２７】
［屋外カバー］
屋外カバー２５は、排気ダクト３の屋外に突出している部分、虫除けキャップ２０、およびＰＴＣヒータ２６を囲って覆い隠すように、側壁１０の屋外側の外面１０ａに装着されるものである。屋外カバー２５は下方が開放されており、排気ダクト３から排気される多湿空気は、ここから大気開放される。
【００２８】
このような屋外カバー２５は、虫などの小動物が排気ダクト３の先端部分に寄ってくることを防ぐとともに、ＰＴＣヒータ２６やそれにより加熱されている虫除けキャップ２０から熱が大気中に発散することを抑える役割を果たす。すなわち、屋外カバー２５の内部空間に熱がこもることで、屋外カバー２５を装着しない場合に較べてＰＴＣヒータ２６の消費電力が小さくなる効果が得られる。
【００２９】
［外気温感知センサ］
図示していないが、屋外の気温（外気温）を測定する目的で、屋外カバー２５などに外気温感知センサが設けられる。この外気温感知センサから延びる信号線は、本体ケーシング１１内にある制御部（図示せず）に接続されている。
＜ＰＴＣヒータの制御＞
虫除けキャップ２０に取り付けられたＰＴＣヒータ２６のヒータ部２６ａの運転制御は、外気温感知センサが検知した外気温を基に、本体ケーシング１１内に設けられた制御部により行われる。具体的には、制御部は、外気温が０℃以下になるとＰＴＣヒータ２６を作動させ、外気温が５℃以上になるとＰＴＣヒータ２６を停止させる。
【００３０】
＜本実施形態に係る除湿機の特徴＞
（１）
除湿機１では、虫除けキャップ２０で排気ダクト３の先端の排気口を覆っているため、排気口から虫などの小動物が排気ダクト３に進入してくることを防ぐことができる。
【００３１】
一方、ＰＴＣヒータ２６によって虫除けキャップ２０を加熱するため、外気温が０℃を下回る極寒時においても虫除けキャップ２０のメッシュ部２１に付着する多湿空気中の水分が凍結することがない。このため、虫除けキャップ２０の凍結によって排気が不十分となり誤作動や破損を起こしてしまう不具合が、この除湿機１では殆ど発生しない。
【００３２】
（２）
除湿機１では、ＰＴＣヒータ２６が虫除けキャップ２０に対して着脱自在となっているため、冬などの寒冷期間以外のときにはＰＴＣヒータ２６を脱着して屋内などに保管しておくことができる。また、故障や寿命によりＰＴＣヒータ２６を交換する必要が生じた際に、簡単にＰＴＣヒータ２６だけを取り替えることが可能である。
【００３３】
（３）
除湿機１では、排気ダクト３の屋外に突出している部分を囲うように屋外カバー２５を側壁１０の屋外側の面（外面１０ａ）に取り付けている。これにより、虫除けキャップ２０に取り付けられたＰＴＣヒータ２６等から発散する熱が屋外カバー２５の内部にこもり、屋外カバー２５を取り付けない場合に比べてＰＴＣヒータ２６の消費電力が少なくなっている。また、この屋外カバー２５を取り付けることよって、虫除けキャップ２０に取り付けられたＰＴＣヒータ２６やウォールカバー２３などを隠すことができ、外観的にもすっきりとした見栄えにすることができている。
【００３４】
（４）
除湿機１は、不在にすることが多い住居で、あるいは、ずっと閉めきっているような住居で、特に有用である。また、マンションなどの住居においても、あまり使われず衣装部屋になっているような部屋では、除湿機１が有用である。さらに、寒い地域や空気の汚れた地域においては、洗濯物を室内に干すことがあり、このような住居においても除湿機１が有用となる。
【００３５】
（５）
また、除湿機１は、寒冷地においても虫除けキャップ２０のメッシュ部２１が凍結によって塞がれる事態を防ぐことができるので、別荘のような留守にしがちで換気できない建物や人があまり入らないような建物に設置した場合にも、連続して運転させることができ且つ正常に起動しているか否かを人が確認する必要が少なくなっている。
【００３６】
＜変形例＞
（Ａ）
上記実施形態では、排気ダクト３の先端の排気口をメッシュ部２１で覆うように虫除けキャップ２０が取り付けられ、虫除けキャップ２０の筒部の周囲にヒータ収容部２２を設けＰＴＣヒータ２６のヒータ部２６ａを装着しているが、メッシュ部自体をメッシュ形状のＰＴＣヒータとして、別途装着するヒータをなくすことも考えられる。すなわち、図５に示すように、メッシュ部３１自体をヒータとし、そのヒータの形状がそのまま虫除けの形状になっている構造を採ることも可能である。
【００３７】
また、あらかじめ樹脂などで作られたメッシュ部に対して線状のヒータを取り付けておき、別体であるＰＴＣヒータを省略することも考えられる。
（Ｂ）
虫除けキャップ２０にＰＴＣヒータ２６を装着する代わりに、ウォールカバー２３や排気ダクト３にヒータを内蔵させることも可能である。これによっても、上記実施形態と同様に、虫除けキャップ２０のメッシュ部２１の凍結を抑えることができる。
【００３８】
（Ｃ）
虫除けキャップ２０にＰＴＣヒータ２６を装着する代わりに、屋外カバー２５の内側にヒータを配置して、そのヒータからの熱によって虫除けキャップ２０のメッシュ部２１を暖めることも可能である。
例えば、屋外カバー２５を少し大きくして、屋外用の市販の電球（例えば１０ワットのもの）を屋外カバー２５の中に配置することが考えられる。この電球が発する熱によって、メッシュ部２１を暖めることができる。ここで使用する電球は、できれば耐水性があり屋外で使っても支障のないものが望ましい。
【００３９】
なお、電球をヒータ代わりに使う場合には、その電球の光が屋外カバー２５の開放されている下面から漏れ出すことになり、屋外が照らされる。したがって、この電球が切れた時には光もなくなることになるため、電球の取り替え時期をユーザー等が簡単に把握できるようになる。市販の屋外用電球を用いているため、サービスエンジニアがわざわざ現地に赴く必要が無く、ユーザー等でも容易に電球を交換することができる。
【００４０】
さらに、電球の光が屋外カバー２５の開放されている下面から漏れ出すことによって、電球がほのかに側壁１０の外面１０ａを照らすことになるので、視覚効果を得ることもできる。
（Ｄ）
虫除けキャップ２０にＰＴＣヒータ２６を装着する代わりに、メッシュ部２１の周りにヒータを組み込んでおいてもよい。
【００４１】
（Ｅ）
上記実施形態では、本発明を除湿機に対して適用しているが、同じように多湿空気を寒冷の屋外に排気する可能性がある空気調和装置であれば、同様に本発明を適用することができる。例えば、除湿機能を持つ冷暖房装置や空気清浄機などに対して本発明を適用することが可能である。
【００４２】
（Ｆ）
上記実施形態では、外気温感知センサが検知した外気温を基にして制御部がＰＴＣヒータ２６のオン・オフを制御しているが、これに代えてＰＴＣヒータ２６を手動でオン・オフさせることも可能である。例えば、寒冷地において夕方に除湿機１の運転を停止した場合に、外気温が下がっている夜間には虫除けキャップ２０に取り付けられたＰＴＣヒータ２６を起動させ、朝になって日が昇ってからＰＴＣヒータ２６の運転を停止させるように手動操作することができる。これによっても、排気ダクト３の内部に残留した湿気が結露・凍結して、その結果できた氷が虫除けキャップ２０のメッシュ部２１を塞いでしまうという事態を防ぐことができる。
【００４３】
なお、ユーザー等に手動でＰＴＣヒータ２６のオン・オフ操作を行わせる場合には、室内ケーシング１１にスイッチを設けたり、リモコン（図示せず）にＰＴＣヒータ２６のスイッチを設けたりすることが望ましい。しかし、除湿機１のユーザー等は、冬の夜などで外気温が下がってきた時に、ＰＴＣヒータ２６のプラグ部２６ｃをコンセントに差し込むことによりＰＴＣヒータ２６を起動させ、また外気温が上がってきて凍結の恐れがなくなったときにコンセントからプラグ部２６ｃを抜いてＰＴＣヒータ２６を停止させることが可能である。
【００４４】
（Ｇ）
虫除けキャップ２０のメッシュ部２１は、虫が入らない程度の網目ではなく、屋外の外気中の塵等を取り除くためのフィルタのように更に目の細かいものであってもよい。
（Ｈ）
上記実施形態では、ＰＴＣヒータ２６のコード部２６ｂを排気ダクト３と配管穴２との間の隙間に通し、図４に示すように室内に入ったプラグ部２６ｃを室内のコンセントに差し込む構成を採っているが、プラグ部２６ｃを室内に入れずに室外のコンセントに差し込むようにすることも考えられる。
【００４５】
また、ＰＴＣヒータに対して本体ケーシング１１内にある制御部（図示せず）から排気ダクト３の内部を通る連絡配線（電源コードを含む）を延ばすことも可能である。
【００４６】
【発明の効果】
請求項１に係る空気調和装置では、加熱手段によって異物進入防止部材を加熱することができるため、外気温が０℃を下回る極寒時においても異物進入防止部材に付着する多湿空気中の水分が凍結することが抑えられる。このため、異物進入防止部材の凍結によって排気が不十分となって空気調和装置が誤作動や破損を起こしてしまう不具合が、殆ど発生しなくなる。
【００４７】
請求項２に係る空気調和装置では、メッシュ部が存在するため、異物進入防止部材においてメッシュ部の網目を塞ぐような水分の凍結の恐れがあるが、加熱手段による加熱をすることによって、その凍結を防ぐことができる。
請求項３に係る空気調和装置では、メッシュ部に加熱手段を内蔵する、あるいはメッシュ部に直接加熱手段を取り付ける構成を採るため、凍結すると排気を妨げてしまうメッシュ部を確実且つ効率的に暖めることができる。
【００４８】
請求項４に係る空気調和装置では、加熱手段が排気通路又は異物進入防止部材に対して着脱自在となっているため、冬などの寒冷期間以外のときには加熱手段を脱着して屋内などに保管しておくことができる。また、故障や寿命により加熱手段を交換する必要が生じた際に、簡単に加熱手段だけを取り替えることが可能となる。
【００４９】
請求項５に係る空気調和装置では、電灯や電球などの発熱および照明の両機能を持ったものを加熱手段として採用しているため、屋外を照らすという付加的効果を得ることができるとともに、照明機能が消滅したことは発熱機能が消滅したことよりもユーザー等にとって把握し易い事象であるので、加熱手段の交換時期の把握が容易となる。
【００５０】
請求項６に係る空気調和装置では、外気温検知手段により検知される屋外の気温に応じて制御手段が自動的に加熱手段の制御（オン・オフなど）を行うため、ユーザー等が手動で加熱手段を作動させる必要がなくなる。また、手動による加熱手段の作動ではつけ忘れが考えられるが、ここでは、凍結の恐れがあるときには、確実に異物進入防止部材が加熱されるようになる。さらに、屋外の気温が高いときには加熱手段をオフしておくように制御を組めば、必要なときにだけ加熱手段を作動させることも可能となり、消費エネルギーを低減することができるようになる。
【００５１】
請求項７に係る空気調和装置では、カバーで排気口および異物進入防止部材を囲っているので、加熱手段により加熱される異物進入防止部材からの熱の発散が抑えられ、無駄なエネルギー消費を削減できる。
【図面の簡単な説明】
【図１】除湿機の外観図。
【図２】除湿機の縦断面概略図。
【図３】屋外に延びる排気ダクトおよびその近傍の構成図。
【図４】排気ダクトおよび側壁周辺の断面図。
【図５】変形例におけるヒータ内蔵のメッシュ部の近傍の構成図。
【符号の説明】
１    除湿機
３    排気ダクト
１２    除湿ロータ（除湿手段）
１３    ターボファン（除湿手段）
１４    ヒータ（除湿手段）
２０    虫除けキャップ（異物進入防止部材）
２１    メッシュ部
２５    屋外カバー
２６    ＰＴＣヒータ（加熱手段）
３１    メッシュ部
【図１】
2004184012.tif 000003
【図２】
2004184012.tif 000004
【図３】
2004184012.tif 000005
【図４】
2004184012.tif 000006
【図５】
2004184012.tif 000007